(57)【要約】【課題】ICタグリーダライタを床に設置した入場管理装置において、降雨時などに床が濡れても、ICタグの情報を読み取れるようにする。【解決手段】入場者の足首に装着されたICタグ保持装置６中のICタグを読み取るために、ICタグリーダライタ１をマトリクス状にして床に敷き詰める。ICタグリーダライタ１に対応させて、圧力センサー２をマトリクス状にして床に敷き詰める。圧力センサー２で体重を検知して、ICタグリーダライタ１でICタグを検知しない場合に、ICタグリーダライタ１の電波出力を１段階上げる。圧力センサー２で体重を検知して、両脇にゲート用ICタグリーダライタを有するゲートでICタグを検出しない場合には、ICタグリーダライタ１の電波出力を直前のレベルに戻す。ICタグリーダライタ１が雨に濡れて電波が吸収されて弱くなった場合にも、過度に電波出力レベルを上げることなく、正常にICタグを読み取れる。【選択図】図１
2007264910.tif 000002
【特許請求の範囲】
【請求項１】
入場者が足首に装着した非接触方式のＩＣタグを読み取るためにマトリクス状にして床に敷き詰めたＩＣタグリーダライタと、前記ＩＣタグリーダライタに対応させてマトリクス状にして床に敷き詰めた圧力センサーと、前記圧力センサーで入場者を検知して前記ＩＣタグリーダライタで前記ＩＣタグを検知しない場合に前記ＩＣタグリーダライタの電波出力レベルを１段階上げる手段とを具備することを特徴とする入場管理装置。
【請求項２】
前記ＩＣタグを読み取るために両側の柱にゲート用ＩＣタグリーダライタを設けたゲートと、前記圧力センサーで入場者を検知しても前記ゲートで前記ＩＣタグを読み取れない場合には前記ＩＣタグリーダライタの電波出力レベルを直前のレベルに戻す手段とを備えることを特徴とする請求項１記載の入場管理装置。
【請求項３】
前記ＩＣタグリーダライタの出力電波の強度レベルが一定でも読取可能である状態が一定時間以上にわたって続いた場合に前記ＩＣタグリーダライタの電波出力レベルを１段階下げる手段を備えることを特徴とする請求項１記載の入場管理装置。
【発明の詳細な説明】
【技術分野】
【０００１】
本発明は、入場管理装置に関し、特に、非接触方式のICタグを読み取るための電波の出力レベルを自動調整する手段を備えた入場管理装置に関する。
【背景技術】
【０００２】
従来、ICタグやICカードを、社員証や学生証等に用いている。会社や学校に設定されているタグリーダーやカードリーダーで、ICタグやICカードの情報を読み取ることにより、社員や学生の入退室を管理している。電子錠と連動させることにより、セキュリティ機能も果たすようにしている。必ずカードリーダーにICカードを読み取らせる必要があるため、利用者にとって手間となってしまう。また、カードリーダーが少数の場合、入退室が集中する朝や夕方などの時間帯では、カードリーダーの前に行列ができてしまう場合もある。また、ICタグやICカードに対しての認証しか行わないので、本人が使用しているかどうか判断できない。さらに、ICタグやカードで電子錠を開けた人の後ろについていけば、通行可能となってしまうので、電子錠やゲートに用いる場合のセキュリティ機能として不十分な点がある。
【０００３】
本発明者らが既に提案した入退室検出システムについて、簡単に説明する。このシステムでは、タグリーダライタを、マトリクス状にして床に敷き詰める。圧力センサーを、タグリーダライタに対応させてマトリクス状にして床に敷き詰める。EEPROMにタグ情報と持ち主の身体データを記憶させたICタグを、入退室者の足首に装着する。ICタグがタグリーダライタの位置を通過するときに、タグ情報を読み出して、その位置を検出するとともに、認証手段でタグ情報を認証する。圧力センサーとICタグリーダライタの両方の検出データを照合することにより、入退室者の進行方法と不審者を把握する。ICタグリーダライタで読み取ったICタグの数が、圧力センサーの読取人数と一致する場合にのみ、扉を開ける。このようなシステムでは、入退室者がICカードやICタグをタグリーダライタに読み取らせる操作を行う手間を省くことができる。ICカードやICタグを持っていない人を検出できるので、セキュリティ機能が向上する。さらに、タグ情報に身体情報を追加して、体重や身長等を検出して照合することで、本人特定の精度を上げることができる。以下に、これに関連する従来技術の例をいくつかあげる。
【０００４】
特許文献１に開示された「データ識別装置」は、識別タグのコストダウンができ、装置の製造者が識別タグを容易に管理できるデータ識別装置である。識別タグに、不揮発性のメモリを設ける。そのメモリに、セキュリティデータ及び識別データがそれぞれ書込まれるセキュリティデータ格納エリア及び識別データ格納エリアを設ける。識別タグと非接触で交信してセキュリティデータを読み取り、識別タグ照合部で自己のものと比較照合する。別体に設けられたリーダライタ部は、所定のセキュリティデータを保持した制御部が、そのセキュリティデータを、初期化された識別タグに書き込み、読み取る。
【０００５】
特許文献２に開示された「RFIDによる痴呆症患者徘徊防止システム」は、徘徊癖の痴呆症患者に対する職員による監視の困難と、センサーの携帯を義務付けることの困難を解消し、施設建物の外に出ようとする瞬間の行動を、RFIDシステムで確実に管理するシステムである。IDタグのIC回路とコイルを、軟質な素材で保護する。リーダライタのアンテナ部を、リーダライタから分離して樹脂などで保護する。従来ではできなかった場所への設置を可能にする。外との出入口を通過しようとする人の管理を行う。弾力性のあるIDタグを、靴などに設置することにより、セキュリティ機器を装着している実感がない。低コスト的で確実にID管理ができる。
【０００６】
特許文献３に開示された「圧力センサーシート」は、簡単な作業で、センサーを破損させることなく十分に封止ができ、曲面形状でも皺を発生させることなく張り付けることができる圧力センサーシートである。圧力センサーシートは、２枚のベースフィルム相互を感温性粘着剤で貼り合わせて成るものとしている。なお、圧力センサーシートにおいて、少なくとも、曲面形状部に張り付けられる２枚のベースフィルム部分相互が感温性粘着剤で貼り合わせて成るものとしている。また、圧力センサーシートにおいて、感圧部を構成する２枚のベースフィルム部分相互が、感温性粘着剤で貼り合わせてある。
【０００７】
特許文献４に開示された「無線通信媒体処理装置」は、多数の出入口での無線通信媒体を利用した入出認証や、広い領域に無作為に存在する無線通信媒体の認識などを、非常に簡単な構成で実現する無線通信媒体処理装置である。複数のアンテナを設ける。一部のアンテナが、送信分配器と受信合成器に接続される。受信合成部には、検波後の検波信号がアンテナより入力する。送信分配器と受信合成器に接続された読書き部で、アンテナを介して無線通信媒体との間でデータの読書きを行う。
【特許文献１】特開2000-285209号公報
【特許文献２】特開2002-319083号公報
【特許文献３】特開2004-333273号公報
【特許文献４】特開2005-244445号公報
【発明の開示】
【発明が解決しようとする課題】
【０００８】
しかし、従来の床設置式のICタグリーダライタを用いる入退室検出システムには、次のような問題がある。ICタグリーダライタの電波出力レベルが一定であるので、降雨時などにICタグリーダライタが設置されている床が濡れてしまうと、ICタグリーダライタから出力される電波が弱まり、ICタグの情報が読み取れなくなることがある。床が濡れても読み取れるように、ICタグリーダライタの電波出力レベルを高くすると、床が乾いているときには電波が強くなりすぎて、周囲の電子機器に悪影響を及ぼしたり、場合によってはＩＣタグそのものを破壊してしまう可能性がある。
【０００９】
本発明の目的は、上記従来の問題を解決して、降雨時などにICタグリーダライタが設置されている床が濡れても、環境に悪影響を及ぼすことなく、ICタグの情報を読み取れるようにして、不審者を確実に検知できるようにすることである。
【課題を解決するための手段】
【００１０】
上記の課題を解決するために、本発明では、入場管理装置を、入場者が足首に装着した非接触方式のICタグを読み取るためにマトリクス状にして床に敷き詰めたICタグリーダライタと、ICタグリーダライタに対応させてマトリクス状にして床に敷き詰めた圧力センサーと、圧力センサーで入場者を検知してICタグリーダライタでICタグを検知しない場合にICタグリーダライタの電波出力レベルを１段階上げる手段とを具備する構成とした。また、ICタグを読み取るために両側の柱にゲート用ICタグリーダライタを設けたゲートと、圧力センサーで入場者を検知してもゲートでICタグを読み取れない場合にICタグリーダライタの電波出力レベルを直前のレベルに戻す手段とを備えた。すなわち、床に並べられたICタグリーダライタ個々の電波出力レベルを、読取りの成否で自動調整する。監視を行う場所の一部分の両脇にゲート用ICタグリーダライタを有するゲートを備え、このゲートを通過した時にも読み取れない場合は、床に並べられたICタグリーダライタの電波出力レベルを前のレベルに戻すようにする。
【発明の効果】
【００１１】
上記のように構成したことにより、雨に濡れてICタグリーダライタの電波が吸収されて弱くなった場合にも、読取失敗（未検知等）時に電波出力レベルを上げることで、吸収された電波が補われて通常の強さの電波が届くようになるので、ICタグを正常に読み取れるため、不審者を確実に検知することができる。また、水に濡れることが無く常時ＩＣタグを読み取ることを可能とするゲート用ICタグリーダライタを両脇に有することにより、ICタグを所持していない入場者が通過したことを判別できるので、床に設置したICタグリーダライタの電波出力を必要以上に高くすることはなくなる。
【発明を実施するための最良の形態】
【００１２】
以下、本発明を実施するための最良の形態について、図１と図２を参照しながら詳細に説明する。
【実施例】
【００１３】
本発明の実施例は、ICタグリーダライタをマトリクス状にして床に敷き詰め、ICタグリーダライタに対応させて圧力センサーをマトリクス状にして床に敷き詰め、圧力センサーで体重を検知してもICタグリーダライタでICタグをよみとれない場合に、ICタグリーダライタの電波出力を１段階上げ、圧力センサーで体重を検知しても両脇にゲート用ICタグリーダライタを有するゲートでICタグを検出しない場合に、ICタグリーダライタの電波出力を前のレベルに戻す入場管理装置である。
【００１４】
図１（ａ）は、本発明の実施例における入場管理装置の概念図である。図１（ｂ）は、足首に装着可能なICタグの概念図である。図１において、ICタグリーダライタ１は、マトリクス状にして床に敷き詰めたICタグリーダライタである。圧力センサー２は、ICタグリーダライタに対応させてマトリクス状にして床に敷き詰めた圧力センサーである。タグ情報・圧力センサー情報検出部３は、タグ情報と圧力センサー情報を取得して処理する手段である。LAN４は、ネットワークである。センター５は、監視センターである。ICタグ保持装置６は、ICタグを保持するアンクレット型の装置である。図２は、ICタグリーダライタの電波出力を調整する方法を説明する図である。
【００１５】
上記のように構成された本発明の実施例における入場管理装置の機能と動作を説明する。最初に、図１を参照しながら、入場管理装置の機能の概要を説明する。図１（ａ）に示すように、ICタグ読取部を床面に設置する。すなわち、ICタグリーダライタ１を床に敷き詰めて、ICタグがICタグリーダライタ１の読取ポイントの上を通過するときに、ICタグを読み取れるようにする。ICタグリーダライタ１をマトリクス状に並べて床に敷き詰めることにより、ICタグの持ち主の現在位置を検出できるようにする。また、ICタグリーダライタ１に対応させて、圧力センサー２をマトリクス状にして床に敷き詰める。圧力センサー２からの信号により、どの位置に人が居るのかを検出できる。したがって、全体の人数もわかる。
【００１６】
図１（ｂ）に示すように、ICタグを足首に装着できるように、アンクレット型のICタグ保持装置６を用いる。ICタグ挿入部にICタグを挿入して、結合部をつなげることで足首に装着する。ICタグのEEPROMに、タグ情報だけでなく、持ち主の体重データなども記憶させる。
【００１７】
タグ情報・圧力センサー情報検出部３において、ICタグリーダライタ１の読出情報と、圧力センサー２の検出データを、常時読み込んで処理する。すべてのICタグリーダライタ１を同時に動作させるのではなく、一定方向に走査するように読取動作を行う。この動作に対応させて、圧力センサー２も同様の動作を行う。タグ情報・圧力センサー情報検出部３は、ICタグリーダライタ１の読出情報を受信して、タグ情報を認証する。また、ICタグを読み取ったICタグリーダライタ１の位置から、入場者の現在位置を取得する。その後、事前に登録されたタグ情報と取得したタグ情報の照合を行い、不審者であるか否かを確認する。また、圧力センサー２からの体重検出信号により、入場者の現在位置と体重データを取得する。ICタグリーダライタ１の体重情報と圧力センサー２の体重データを照合することで、本人であることを確認する。
【００１８】
ICタグリーダライタ１から取得した位置情報と、圧力センサー２からの位置情報を照合することにより、タグ情報の取得がなく圧力センサー２からの体重検出信号を受けた場所を特定することができ、ICタグを持っている人と持っていない人の位置を特定できる。タグ情報が読み取れないのに、圧力センサー２で体重を検出した場合や、ICタグから読み取ったタグ情報と予め登録されているタグ情報が不一致であった場合、もしくは、体重情報と圧力センサー２で検出した体重データが不一致の場合は、タグ情報・圧力センサー情報検出部３は、異常事態発生として、LAN４を介してセンター８へ、異常データと異常事態発生通知を送信する。異常データを受け取ったセンター８側では、異常が発生した位置データなどに基づいて、現場の状況を確認するように監視員などに警報を出す。
【００１９】
このようにして、入場者にICタグやICカードを読み取らせる手間を省くことができる。また、ICタグの持ち主がどこにいるのかを管理することができ、ICタグを持っている人と持っていない人を識別できるため、セキュリティ機能も向上する。
【００２０】
次に、図２を参照しながら、ICタグリーダライタの電波出力を調整する方法を説明する。図２（ａ）に示すように、床に、圧力センサーとICタグリーダライタを、マトリクス状に敷き詰める。その途中に、両脇にゲート用ICタグリーダライタを有するゲートを設ける。図２の左側にドアがあり、右側が通路である。入場者は、図示の矢印のように進行して来る。降雨時などにおいて入場者の靴が濡れていると、右側のICタグリーダライタほど強く濡れて、左に行くほど濡れが少なくなる。したがって、右側のICタグリーダライタの方ほど、出力電波が水分に多く吸収されて、ICタグに届く電波が弱くなる。ICタグリーダライタの電波出力を一定にした場合、降雨時などにおいて床が水に濡れると、図２（ｂ）に示すように、ICタグが読み取れる箇所と読み取れない箇所ができる。読み取れない箇所では、ICタグリーダライタの出力電波が水で吸収されて、ICタグに届く電波が、読み取れる箇所と比べて弱くなっている。
【００２１】
図２（ｃ）に示すように、圧力センサーで入場者の体重を検出したにも拘わらず読み取れない箇所のICタグリーダライタの電波出力レベルを、１段階分上げる。１段階分をどの程度にするかは、ICタグリーダライタを設置する場所の状態などに応じて決める。床が濡れても５段階程度上げれば十分読み取れるようにするとよい。１段階分上げると、図の中央部の３箇所のICタグリーダライタではICタグを読み取れるようになる。それより右側の部分では、依然としてICタグを読み取れない。そこで、図２（ｄ）に示すように、読み取れない箇所のICリーダライタの電波出力レベルを、もう１段階分上げる。すると、中央部の右側の３箇所でも読み取れるようになる。このようにして、最終的に全てのICリーダライタで読み取れるように調整する。
【００２２】
しかし、入場者がICタグを装着していないために読み取れない場合がある。そこで、圧力センサーでは体重を検出できるが、ICタグリーダライタでは全くICタグを読み取れず、ゲートの両脇に備えたゲート用ICリーダライタでもICタグを読み取れない場合は、図２（ｅ）に示すように、上げた電波出力レベルを直前のレベルに戻す。このようにすれば、ＩＣタグを装着していないにも拘わらず電波出力レベルを上げることにより、本来ＩＣタグを装着していれば読み取れた可能性のあるレベルに戻すことが出来る。また、電波出力を上げすぎて環境に悪影響を与えることも防止できる。
【００２３】
床の水分が乾いて、ICタグリーダライタの出力電波の吸収が少なくなると、ICタグに届く電波が強くなる。読取可能レベルを超えて強くなりすぎると、環境に悪影響を与えることになるので、ICタグリーダライタの出力電波を弱くする必要がある。そこで、一定時間以上にわたって、ICタグリーダライタの出力電波の強度レベルを上げなくても読取可能である状態が続いたら、ICタグリーダライタの出力電波の強度レベルを１段階下げる。それでも読取可能であれば、さらに一定時間待って、１段階下げる。読取不可能な箇所が出れば、１段階上げる。これを繰り返すことにより、ICタグリーダライタの出力電波の強度レベルを、常に読取可能レベルに維持することができる。
【００２４】
上記のように、本発明の実施例では、入場管理装置を、ICタグリーダライタをマトリクス状にして床に敷き詰め、ICタグリーダライタに対応させて圧力センサーをマトリクス状にして床に敷き詰め、圧力センサーで体重を検知してもICタグリーダライタでICタグを読み取れない場合に、ICタグリーダライタの電波出力を１段階上げ、圧力センサーで体重を検知しても両脇にゲート用ICタグリーダライタを有するゲートでICタグを検出しない場合に、ICタグリーダライタの電波出力を前のレベルに戻す構成としたので、雨に濡れてICリーダライタの電波が吸収されて弱くなった場合でも、電波出力レベルを過度に上げることなく、正常にICタグを読み取れるようになる。また、水に濡れることが無く常時ＩＣタグを読み取ることを可能とするゲート用ICタグリーダライタを両脇に有することにより、ICタグを所持していない入場者が通過したことを判別できるので、床に設置したICタグリーダライタの電波出力を必要以上に高くすることはなくなる。
【産業上の利用可能性】
【００２５】
本発明の入場管理装置は、ICタグリーダライタの電波の出力レベルを自動調整できる入場管理装置として最適である。
【図面の簡単な説明】
【００２６】
【図１】本発明の実施例における入場管理装置の概念図である。
【図２】本発明の実施例における入場管理装置のICタグリーダライタの電波出力を調整する方法を説明する図である。
【符号の説明】
【００２７】
１・・・ICタグリーダライタ、２・・・圧力センサー、３・・・タグ情報・圧力センサー情報検出部、４・・・LAN、５・・・センター、６・・・ICタグ保持装置。
【図１】
2007264910.tif 000003
【図２】
2007264910.tif 000004